(57)【要約】      （修正有）【課題】サイドフロアの後側上部にリヤステップを配置する形態のトラクタでは、リヤステップ部が車体の左右外側部に広く拡張されるために、支持構成が不安定となり、このリヤステップ上から後側の作業機に対する補助作業を行うときは不安定な作業姿勢となり易い。【解決手段】シートを支持するシートケースの左右両側に、サイドフロア３を配置し、このサイドフロア３の後側上部にリヤステップ４を設けた乗用作業機において、前記リヤステップ４を支持するリヤフロアフレーム５の左右両側部と車体中央下部の車体フレーム１３部との間を、筋交１４で連結したことを特徴とする乗用作業機の構成とする。【選択図】図３
2010207242.tif 000002
【特許請求の範囲】
【請求項１】
シート（１）を支持するシートケース（２）の左右両側に、サイドフロア（３）を配置し、このサイドフロア（３）の後側上部にリヤステップ（４）を設けた乗用作業機において、前記リヤステップ（４）を支持するリヤフロアフレーム（５）の左右両側部と車体中央下部の車体フレーム（１３）部との間を、筋交（１４）で連結したことを特徴とする乗用作業機。
【請求項２】
リヤステップ（４）の後側にガードハンドル（７）を左右横方向に設け、ガードハンドル（７）を支持ステー（８）によってリヤフロアフレーム（５）に支持させ、支持ステー（８）はリヤステップ（４）の上側でクランク状の屈曲部（６）を形成したことを特徴とする請求項１に記載の乗用作業機。
【請求項３】
支持ステー（８）に作業支持台（１２）を設けたことを特徴とする請求項２に記載の乗用作業機。
【請求項４】
上部に施肥ホッパー（９）を有し、下部にはこの施肥ホッパー（９）から肥料を繰出す繰出装置（１０）を有する施肥装置（１１）を、前記リヤステップ（４）の後側に沿わせるように配置したことを特徴とする請求項１から請求項３の何れか１項に記載の乗用作業機。
【発明の詳細な説明】
【技術分野】
【０００１】
この発明は、苗植機や、施肥、播種機、その他管理作業機等を装着して作業する乗用管理作業用の乗用作業機に関するものである。
【背景技術】
【０００２】
運転者が乗用シートに着座した姿勢からの移動を少くして、横側のサイドフロア上を移動するだけで車体後部の作業装置部に対する補助作業操作を行い易くするために、このサイドフロアの後端上部にリヤステップを設ける形態の技術が知られている（特許文献１参照）。
【先行技術文献】
【特許文献】
【０００３】
【特許文献１】特開平９−２８１３１号公報
【発明の概要】
【発明が解決しようとする課題】
【０００４】
このようなサイドフロアの後側上部にリヤステップを配置する形態のトラクタでは、リヤステップ部が車体の左右外側部に広く拡張されるために、支持構成が不安定となり、このリヤステップ上から後側の作業機に対する補助作業を行うときは不安定な作業姿勢となり易い。
【課題を解決するための手段】
【０００５】
請求項１に記載の発明は、シート（１）を支持するシートケース（２）の左右両側に、サイドフロア（３）を配置し、このサイドフロア（３）の後側上部にリヤステップ（４）を設けた乗用作業機において、前記リヤステップ（４）を支持するリヤフロアフレーム（５）の左右両側部と車体中央下部の車体フレーム（１３）部との間を、筋交（１４）で連結したことを特徴とする乗用作業機の構成とする。
【０００６】
請求項２に記載の発明は、リヤステップ（４）の後側にガードハンドル（７）を左右横方向に設け、ガードハンドル（７）を支持ステー（８）によってリヤフロアフレーム（５）に支持させ、支持ステー（８）はリヤステップ（４）の上側でクランク状の屈曲部（６）を形成したことを特徴とする請求項１に記載の乗用作業機とする。
【０００７】
請求項３に記載の発明は、支持ステー（８）に作業支持台（１２）を設けたことを特徴とする請求項２に記載の乗用作業機とする。
請求項４に記載の発明は、上部に施肥ホッパー（９）を有し、下部にはこの施肥ホッパー（９）から肥料を繰出す繰出装置（１０）を有する施肥装置（１１）を、前記リヤステップ（４）の後側に沿わせるように配置したことを特徴とする請求項１から請求項３の何れか１項に記載の乗用作業機とする。
【発明の効果】
【０００８】
請求項１に記載の発明は、リヤステップ４を支持するリヤフロアフレーム５の左右両側部と車体中央下部の車体フレーム１３部との間を、筋交１４で連結したので、リヤステップ４の支持剛性を高めることができ、作業者がこのリヤステップ４上を踏圧して補助作業する場合の作業姿勢を安定させることができる。
【０００９】
請求項２に記載の発明は、請求項１に記載の発明の効果に加えて、ガードハンドル７を手で把持しながら補助作業を行うことができるため、サイドフロア３上からの補助作業を安定した姿勢で容易に安全に行うことができる。また、ガードハンドル７を把持して補助作業する場合の作業姿勢を安定させることができる。
【００１０】
請求項３に記載の発明は、請求項１又は２に記載の発明の効果に加えて、狭い間隔部を有効に利用して、この作業支持台１２上とガードハンドル７部との間に補給用の肥料袋等を載置し支持させて、施肥ホッパー９への肥料補給作業を行い易くしたり、又、補助作業者の足元を支持して補助作業を行い易くすることができる。
【００１１】
請求項４に記載の発明は、請求項１から請求項３の何れか１項に記載の発明の効果に加えて、施肥装置１１は上部の施肥ホッパー９部の前後幅を広くして肥料収容の容量を大きくすることができる。又、この車体の後側に苗植装置のような作業機をも昇降可能に装着する場合には、この施肥装置１１の後方への張出を少くして、作業機の邪魔にならないようにして、機体の前後長さを短縮化でき、操作、作業性を容易にできる。
【図面の簡単な説明】
【００１２】
【図１】トラクタ車体部の側面図。
【図２】そのフロア部の平面図。
【図３】その支持ステー部の背面図。
【図４】苗植装置を装着した場合の側面図。
【図５】その平面図。
【発明を実施するための形態】
【００１３】
この発明は、車体の後側に苗植装置や施肥装置等を装着して作業する乗用形態の管理作業機用のトラクタに利用することができる。以下実施例に係る図面の符号を用いて説明する。
【００１４】
トラクタ車体は、車体フレーム１３の前部には、フロントアクスルハウジング１５を有して、この左右両側部にはステアリングハンドル１６で操向自在の前車輪１７を軸装し、後部には、リヤアクスルハウジング１８を有して、この左右両側部には、後車輪１９を軸装している。これら前車輪１７及び後車輪１９は、運転シート１下のシートケース２で覆われたエンジンルームに搭載のエンジン２０によって連動駆動して走行できる。
【００１５】
該フロントアクスルハウジング１５の前部にはミッションケース２１が配置され、車体フレーム１３の後端部上にはリヤフレーム２２が立設されて、これらミッションケース２１上とリヤフレーム２２上との間に渡って、縦桟や横桟等からなるフロアフレーム２３が支架される。このフロアフレーム２３の上側に、シートケース２や、このシートケース２と前側のステアリングポスト２４との間のセンタフロア２５、及びこれらの左右両側部のサイドフロア３等を取付支持させる。
【００１６】
これらフロアフレーム２３やサイドフロア３は、シートケース２の後部両側部で上方に屈曲される形態で、後端部を高くした段差を形成して、後車輪１９との間に間隔部を維持するように形成し、かつ後端に略平坦なリヤステップ４を形成している。このリヤステップ４部はフロアフレーム２３後端部のリヤフロアフレーム５で支持される。
【００１７】
車体の後側には、平行リンクからなるリフトリンク２６を介して苗植装置２７を連結でき、リフトシリンダ２８の伸縮で昇降制御できる。この苗植装置２７は、センタフロート２９とサイドフロート３０を有して土壌面を滑走でき、苗植フレーム３１の後側には苗植付爪３２を配置して多条植え形態とし、上部には前上部に渡って傾斜の苗タンク３３を設け、一定幅域を左右往復移動できる構成としている。この苗タンク３３の上端部に供給したマット状の苗を後下部へ繰出しながら、この苗繰出部で作用する植付爪３２で分離しながら植付けることができる。
【００１８】
車体前部の前記ステアリングポスト２４の側方部には、フロントアクスルハウジング１５上に支持枠３４を介して支持される補助苗棚３５を設け、この補助苗棚３５に収容させた苗を前記苗タンク３３へ補給して、苗植作業を継続的に行うことができる。
【００１９】
ここにおいて、請求項１に記載の発明は、シート１を支持するシートケース２の左右両側に、サイドフロア３を配置し、このサイドフロア３の後側上部にリヤステップ４を設けたトラクタにおいて、このリヤステップ４の後側に、下端部をリヤフロアフレーム５に支持し、上部をリヤステップ４の上方部側に屈曲させた屈曲部６を形成し、上端部に左右横方向に渡るガードハンドル７を支持する支持ステー８を設けたことを特徴とするリヤステップ支持装置の構成とする。
【００２０】
これによって、リヤステップ４の上方部にはガードハンドル７があって、これを手で把持しながら補助作業を行うことができるため、サイドフロア３上からの補助作業を安定した姿勢で容易に安全に行うことができる。しかも、このガードハンドル７を支持する支持ステー８は、リヤステップ４の後部において屈曲部６を形成して、このリヤステップ４の直上方部に張り出す形態としているため、この支持ステー８の後側に装着される作業機器部の邪魔になり難く、車体後端部の狭い前後間隔において、補助作業時は足元を踏載せるリヤステップ４部を広く維持すると共に、上部のガードハンドル７の位置を前側寄りに位置させて、補助作業を行い易くすることができる。
【００２１】
そして、請求項２に記載の発明は、上部に施肥ホッパー９を有し、下部にはこの施肥ホッパー９から肥料を繰出す繰出装置１０を有する施肥装置１１を、前記リヤステップ４の後側に沿わせるように配置したことを特徴とするもので、施肥装置１１は上部の施肥ホッパー９部の前後幅を広くして肥料収容の容量を大きくすることができる。又、この車体の後側に苗植装置のような作業機をも昇降可能に装着する場合には、この施肥装置１１の後方への張出を少くして、作業機の邪魔にならないようにして、機体の前後長さを短縮化でき、操作、作業性を容易にできる。
【００２２】
請求項３に記載の発明は、前記支持ステー８には、作業支持台１２を設けたことを特徴とするもので、前記支持ステー８に作業支持台１２が設けられるため、狭い間隔部を有効に利用して、この作業支持台１２上とガードハンドル７部との間に補給用の肥料袋等を載置し支持させて、施肥ホッパー９への肥料補給作業を行い易くしたり、又、補助作業者の足元を支持して補助作業を行い易くすることができる。
【００２３】
請求項４に記載の発明は、前記リヤステップ４を支持するリヤフロアフレーム５の左右両側部と、車体中央下部の車体フレーム１３部との間を、筋交１４で連結したことを特徴とするもので、リヤステップ４部を支持するリヤフロアフレーム５の左右両側部が、前記上側の支持ステー８やガードハンドル７による構成と、下側の筋交４を介して中央下部の車体フレーム１３部に支持されるため、作業者がこのリヤステップ４上を踏圧したり支持ステー８上のガードハンドル７を把持して補助作業する場合の作業姿勢を安定させることができる。
【００２４】
ここに、前記フロアフレーム２３は、前部のステアリングポスト２４部から後部のシートケース２部の左右両側部に渡るサイドフロアフレーム部３６の外側に、サブフロアフレーム部３７を取付ている。このフロアフレーム２３の上部にサイドフロア３が取付けられる。このサイドフロア３は、該サイドフロアフレーム部３６上に位置するサイドステップ部３８と、サブフロアフレーム部３７上に位置するサブステップ部３９とから構成される。
【００２５】
又、これらサイドフロアフレーム部３６やサブフロアフレーム部３７等の後端部は、シートケース２の後側部で左右横方向のリヤフロアフレーム５で連結されて、このリヤフロアフレーム５上の該サブフロアフレーム部３７上側にリヤステップ４が取付けられる。又、このリヤフロアフレーム５の全幅でシート１の後側に渡ってもリヤステップ４０を取付けることもできる。
【００２６】
このようなフロアフレーム２３は、苗植装置２７の苗植条数の形態によって、サイドフロアフレーム部３６の幅域に対する苗植条数（例えば４〜６条植え形態）の仕様を基準にして、これより多い苗植条数（６〜８条植え形態）の仕様では、サイドフロアフレーム部３６の外側にサブフロアフレーム部３７を付加させることによって、サブステップ部３９をサイドステップ部３８の外側に増設させて、車体フレーム１３等の主要構成部分の共用化を図ることができる。
【００２７】
このようにサブフロアフレーム部３７を増設する形態では、特にリヤフロアフレーム５の左右横方向の幅を広くするから、このリヤフロアフレーム５の両端部と車体中央部の車体フレーム１３部との間を筋交１４で連結して、サイドフロア３の後端部のリヤステップ４の支持剛性を高めることができる。
【００２８】
更に、このリヤフロアフレーム５の左右両側には、支持ステー８が取付けられて、これら左右の支持ステー８の上端部間に渡って横方向のガードハンドル７が連結されるために、全体として環状形態の構成として、軽量化の構成でありながら、リヤステップ４部の剛性を高めることができる。
【００２９】
前記支持ステー８は、パイプ材からなり、前記リヤステップ４乃至４０の後側部において、リヤフロアフレーム５の複数箇所に固定される。この支持ステー８は、リヤステップ４の上側部で前側に屈曲して、更に上方に向かうように屈曲し、略クランク状の屈曲部６に形成される。この支持ステー８の上端にはＬ字状形態の連結パイプ４１が一体に取付けられる。この連結パイプ４１には作業支持台１２が取付けられ、側端部にはこの作業支持台１２上の外側面に沿うサイドアーム４２を有し、この上端部にガードハンドル７の左右両端部の連結部４３を差込んで、これら差込部間にセットピン４４を差込んでガードハンドル７を連結する構成としている。
【００３０】
サイドフロア３上を踏んで移動する作業者は、片足を前記リヤステップ４や４０、又は作業支持台１２上に載せた姿勢にすることができ、又、作業中にガードハンドル７を把持しうる。更には施肥ホッパー９に供給する肥料袋や、前記補助苗棚３５から取出した苗箱等を載せて、肥料補給や苗タンク３３への苗補給等を楽な姿勢で容易に行うことができる。
【００３１】
施肥装置１１は、繰出装置１０と施肥ホッパー９とを左右横方向に渡って幅広く形成したもので、各苗植条に沿って施肥するために、繰出ロール形態の繰出装置１０を横方向に並べて横一軸上で一体的に連動できる構成とし、各繰出装置１０の上部にのぞませる施肥ホッパー９は左右に幅広くして一体的構成として、肥料収容の容量を大きくするように構成としている。又、下部には一側端の送風機４５からの圧風を案内する風筒４６を有し、各繰出装置１０から土壌面に渡って設けられる施肥ホース４７に送風させる構成としている。このような施肥装置１１が、リヤフレーム２２の上端部に取付けられる。
【００３２】
この施肥装置１１は前側の支持ステー８に近接させて装着する。このとき支持ステー８の上部は屈曲部６によって前側へ逃げた形態であるため、後方への突出乃至張出しを少なくすることができ、苗植装置２７がリフトリンク２６によって上昇されたときでも、苗タンク３３の前上端部が接触し難い形態とすることができる。又、これによって施肥ホッパー９や苗タンク３３と、リヤステップ４との間隔を短縮して、肥料補給や苗補給を行い易くすることができる。
【００３３】
４８はクラッチレバーで、繰出装置１０の二基毎に配置されて、前側のガードハンドル７の下側から上下に操作して、繰出装置１０の伝動を入り切りできる。畦際のように一部の苗植条を停止する場合は、このクラッチレバー４８の操作で施肥不要な位置の繰出装置１０を停止することができる。
【符号の説明】
【００３４】
１：シート、２：シートケース、３：サイドフロア、４：リヤステップ、５：リヤフロアフレーム、６：屈曲部、７：ガードハンドル、８：支持ステー、９：施肥ホッパー、１０：繰出装置、１１：施肥装置、１２：作業支持台、１３：車体フレーム、１４：筋交
【図１】
2010207242.tif 000003
【図２】
2010207242.tif 000004
【図３】
2010207242.tif 000005
【図４】
2010207242.tif 000006
【図５】
2010207242.tif 000007